(57)【要約】【課題】サムターンを簡単に座板に組み込むことができ、かつ、複数位置で係合・離脱でき、サムターンの操作感が良好なサムターン回動装置を提供すること。【解決手段】扉Ｄの両面には、座板２及び座板３を取り付け、座板２にサムターン１が取り付けられ、座板３側に角芯１３が取り付けられ、サムターン１に設けられた角孔８に角芯１３が挿入される。サムターン１は、表面側の摘み部４と裏面側の軸部５を備え、軸部５の外周には遊嵌溝７を全周に設け、その遊嵌溝７に１８０度変位した２箇所に係合部６・６を設けてあり、軸部５には角孔８が設けられている。座板２には円形孔を設けてあり、その円形孔の裏面側周囲には、円筒形状部を突設し、その４箇所に切欠部１１・・・１１を設け、残った部分を軸受部９としてその内周面には、先端に掛止爪１２・・・１２が内方に突出して設けられており、相対向する２箇所には三角溝状の係止部１０・１０を設けてある。【選択図】図４
2014098265.tif 000002
【特許請求の範囲】
【請求項１】
座板にサムターンを回動可能に取り付けて成るサムターン回動装置において、サムターンは、摘み部と軸部を有し、軸部外周には係合部を設けて成り、座板は、軸部が挿入されて取り付けられる軸受部を設け、軸受部内周には係止部を設けて成り、軸部と軸受部の少なくともどちらか一方が弾性変形して、係合部が係止部に複数位置で係合・離脱できるように成し、係合・離脱する位置以外では、係合部は軸受部内周面と、係止部は軸部外周面とそれぞれ接触することなく、サムターンが座板に対して回動できるように構成したことを特徴とするサムターンの回動装置。
【発明の詳細な説明】
【技術分野】
【０００１】
本発明は、主に、室内から回動してラッチ錠を施解錠するサムターンの回動装置に関するものである。
【背景技術】
【０００２】
従来より、特開２０００−３５６０５４号発明（従来例１）のように、ワンタッチでサムターンを座板に組み込むことができるものや、特開平９−７２１３２号発明（従来例２）のように、サムターンの回動時に、節度を感じて複数の位置に位置決めできるものは提案されている。
【先行技術文献】
【特許文献】
【０００３】
【特許文献１】特開２０００−３５６０５４号公報
【特許文献２】特開平９−７２１３２号公報
【発明の概要】
【発明が解決しようとする課題】
【０００４】
上記従来例１においては、ワンタッチでサムターンを座板に組み込むことができるものの、サムターンを回動する際に、サムターンと座板には節度が感じられる構造を備えておらず、上記従来例２においては、サムターンの矩形断面の軸部に板ばねを当接させて、節度を感じられるように構成してあるが、組立が容易とはいえず、かつサムターンの回動途中に抵抗があって、節度を強くしようとするとその途中の抵抗まで大きくなり操作感が良好とは言えないという問題があった。そこで、本発明は、サムターンを簡単に座板に組み込むことができ、かつ、複数位置で係合・離脱でき、サムターンの操作感が良好なサムターン回動装置を提供することを課題とするものである。
【課題を解決するための手段】
【０００５】
上記課題を解決するために、本発明は、座板にサムターンを回動可能に取り付けて成るサムターン回動装置において、サムターンは、摘み部と軸部を有し、軸部外周には係合部を設けて成り、座板は、軸部が挿入されて取り付けられる軸受部を設け、軸受部内周には係止部を設けて成り、軸部と軸受部の少なくともどちらか一方が弾性変形して、係合部が係止部に複数位置で係合・離脱できるように成し、係合・離脱する位置以外では、係合部は軸受部内周面と、係止部は軸部外周面とそれぞれ接触することなく、サムターンが座板に対して回動できるように構成して成るものである。
【発明の効果】
【０００６】
以上のように本発明によれば、サムターンは、座板に挿入して取り付けられ、サムターンに設けた係合部が、座板に設けた係止部に、係合・離脱する位置以外は、係合部は軸受部内周面と、係止部は軸部外周面とそれぞれ接触しないように構成したので、サムターンを簡単に座板に組み込むことができ、なおかつ、サムターンを回動する途中では回動抵抗は小さく、係合部と係止部が係合・離脱する位置だけ大きくすることができ、操作感が良好で施解錠位置を確実に保持することができるという効果がある。
【図面の簡単な説明】
【０００７】
【図１】本発明の全体を示す斜視図。
【図２】本発明をドアに取り付けた状態の要部断面図。
【図３】本発明のサムターンと座板を組み立てた状態の裏面から見た斜視図。
【図４】本発明のサムターンと座板を分解した状態の裏面から見た斜視図。
【図５】本発明のサムターンと座板を組み立てて、係合部と係止部が係合している状態の要部断面図。
【図６】本発明のサムターンと座板を組み立てて、係合部と係止部が係合していない状態の要部断面図。
【実施例１】
【０００８】
扉Ｄの室内外の両面には、座板２及び座板３を取り付け、室内に配される座板２にはサムターン１が取り付けられ、室外に配される座板３側に角芯１３が回動可能に取り付けられ、サムターン１に設けられた角孔８にその角芯１３が挿入される。
【０００９】
サムターン１は、表面側に突出する厚板状の摘み部４と裏面側に突出する円柱状の軸部５を備え、軸部５の外周には、一段低くなった遊嵌溝７を全周に設け、その遊嵌溝７に１８０度変位した２箇所に略三角形状に突出した係合部６・６を設けてあり、軸部５の中心には正方形状の角孔８が設けられている。
【００１０】
座板２は、略円盤形状で、中心から少し下の位置に円形孔を設け、その円形孔の裏面側周囲には、円筒形状部を突設し、その４箇所に切欠部１１・・・１１を設け、残った部分を軸受部９・・・９としてその内周面には、それぞれ先端に掛止爪１２・・・１２を内方に突出するように設け、中央に三角溝状の係止部１０・・・１０を設けてある。
【００１１】
サムターン１と座板２を組み立てるには、軸部５を座板２の表面側の円形孔から挿入し、軸受部９・・・９を外方に弾性変形させ、それが復元して掛止爪１２・・・１２が遊嵌溝７に回動可能に遊嵌することによって完了する。
【００１２】
この状態では、サムターン１は座板２に対して回動自在であり、サムターン１が回動して、係合部６・６が相対向する一方の係止部１０・１０の位置に達して接触すると、軸受部９・９が外方に変形し、その弾性で復元して係合部６・６が係止部１０・１０に係合する。係合部６・６が係止部１０・１０に係合する位置以外のところでは、サムターン１は座板２から弾性力を受けないで回動することができるので、大きな力を必要としない。なお、本実施例では、係合部６が突起で係止部１０が凹溝で係合するようになっているが逆でもよい。
【００１３】
この状態から、サムターン１を回動すると、軸受部９・９が外方に変形し、係合部６・６が相対向する一方の係止部１０・１０から外れ、９０度回動すると、係合部６・６が相対向する他方の係止部１０・１０に係合する。
【００１４】
そして、扉Ｄに取り付けたラッチ錠Ｌの角孔に、扉Ｄの室外側から座板３側の角芯１３を挿通して、室内側から、サムターン１と座板２を組み立てたものをあてがい、角芯１３をサムターン１の角孔８に挿入して、座板２と座板３を取付ねじで呼び込んで扉Ｄに取り付けて使用するものであり、サムターン１を９０度回動することによって、ラッチ錠Ｌを施錠状態から解錠状態へ、あるいは、解錠状態から施錠状態へ移行することができる。
【符号の説明】
【００１５】
１    サムターン
２    座板
４    摘み部
５    軸部
６    係合部
１０    係止部
【図１】
2014098265.tif 000003
【図２】
2014098265.tif 000004
【図３】
2014098265.tif 000005
【図４】
2014098265.tif 000006
【図５】
2014098265.tif 000007
【図６】
2014098265.tif 000008